(57)【特許請求の範囲】
【請求項１】
放射性医薬品を製造する医薬品製造施設から提供された放射性医薬品を被検体に注入し、前記放射性医薬品が注入された被検体から放射される放射線を検出して画像データを生成する撮影装置を有する核医学検査施設において、前記被検体に注入された放射性医薬品の放射能を管理する放射能管理システムであって、
放射性医薬品に用いられる複数種の放射性同位体について、それぞれの放射能の半減期を記憶している第１記憶部と、
前記医薬品製造施設から前記核医学検査施設に提供された放射性医薬品に付されている、該放射性医薬品の製造日時、該放射性医薬品に用いられている放射性同位体の種類及び前記放射性医薬品の製造時における放射能の値を含む放射性医薬品情報が記録された記録媒体から前記放射性医薬品情報を読み取る読取部と、
前記読取部が読み取った前記放射性医薬品情報を保存する第２記憶部と、
現在日時を計時する計時手段と、
被検体に前記放射性医薬品を注入した時点を設定するための注入時点設定部と、
前記注入時点設定部により設定された時点の日時を前記計時手段から取得する注入日時取得部と、
前記第１記憶部に記憶されている放射能の半減期、前記第２記憶部に保存された前記放射性医薬品情報、及び前記注入日時取得部が取得した注入日時に基づいて、前記被検体に注入された前記放射性医薬品の放射能の値を算出する演算部と
を備える、放射能管理システム。
【請求項２】
請求項１に記載の放射能管理システムにおいて、
前記注入時点設定部が、放射性医薬品が収容された容器内の該放射性医薬品を自動で被検体に注入する注入装置に対して被検体への放射性医薬品の注入動作の開始を指示する開始信号を出力する注入指示部を含み、該注入指示部が前記開始信号を出力した時点を被検体に前記放射性医薬品を注入した時点として設定する、放射能管理システム。
【請求項３】
前記演算部が、前記放射性医薬品の製造日時、該放射性医薬品の製造時における放射能の値、該放射性医薬品の注入日時、及び該放射性医薬品に用いられている放射性同位元素の半減期とから、前記被検体に注入された前記放射性医薬品の放射能の値を算出する、請求項１又は２に記載の放射能管理システム。
【請求項４】
請求項１又は２に記載の放射能管理システムにおいて、さらに、
被検体に放射性医薬品を注入する量を設定するための注入量設定部を備え、
前記放射性医薬品情報が、前記放射性医薬品の量を含んでおり、
前記演算部が、前記第２記憶部に保存された前記放射性医薬品情報と、前記注入日時取得部が取得した注入日時と、前記注入量設定部が設定した注入量と、前記第１記憶部に記憶されている放射能の半減期とに基づいて、前記被検体に注入された前記放射性医薬品の放射能の値を算出する放射能管理システム。
【請求項５】
請求項１又は２に記載の放射能管理システムにおいて、さらに、
前記撮影装置が動作を開始した日時又は終了した日時を含む検査情報を、該撮影装置から取得する検査情報取得部を備え、
前記演算部が、前記検査情報取得部が取得した検査情報と、前記注入日時取得部が取得した注入日時と、前記第１記憶部に記憶されている放射能の半減期と、前記被検体に注入された前記放射性医薬品の放射能の値とから、前記撮影装置の動作中において、前記被検体の体内に存在する放射性医薬品の放射能の値を算出する放射能管理システム。
【請求項６】
請求項１に記載の放射能管理システムにおいて、
前記注入時点設定部が、放射性医薬品が収容された容器内の該放射性医薬品を自動で被検体に注入する注入装置から、放射性医薬品の注入動作を開始する開始信号を受信するように構成され、該開始信号を受信した時点を被検体に前記放射性医薬品を注入した時点として設定する、放射能管理システム。
【請求項７】
請求項１に記載の放射能管理システムにおいて、
前記記録媒体が、前記放射性医薬品情報を表す一次元コード又は二次元コードの画像が描かれた媒体から成り、
前記読取部が、前記一次元コード又は二次元コードの画像を撮影するコード撮影部と、該コード撮影部が撮影した画像から前記放射性医薬品情報を取得する放射性医薬品情報取得部とを有する、放射能管理システム。
【請求項８】
請求項７に記載の放射能管理システムにおいて、
前記コード撮影部が、放射性医薬品が収容された容器から該放射性医薬品を自動で被検体に注入する装置であって、前記一次元コード又は二次元コードの画像を撮影して該画像を表示する表示部を有する注入装置から、前記一次元コード又は二次元コードの画像を撮影する、放射能管理システム。
【請求項９】
請求項１に記載の放射能管理システムにおいて、さらに、
放射性医薬品が収容された容器の重量を検出するための検出器を備え、
前記放射性医薬品情報が前記容器に収容されている放射性医薬品の量を含んでおり、
前記演算部が、前記第２記憶部に保存された前記放射性医薬品情報と、前記注入日時取得部が取得した注入日時と、前記検出器によって検出された、被検体に放射性医薬品が注入される前の前記容器の重量及び前記被検体に前記放射性医薬品が注入された後の前記容器の重量と、前記第１記憶部に記憶されている放射能の半減期とに基づいて、前記被検体に注入された前記放射性医薬品の放射能の値を算出する、放射能管理システム。
【発明の詳細な説明】
【技術分野】
【０００１】
本発明は、核医学検査のために患者や人間ドック受診者等の身体（被検体）に注入された放射性医薬品の該被検体の体内における放射能を管理する放射能管理システムに関する。
【背景技術】
【０００２】
核医学検査は画像診断の一つであり、注射器等によって放射性医薬品を被検体に注入し、該被検体の体内から放射性医薬品が放出する放射線を、単一光子放射断層撮影装置（ＳＰＥＣＴ：Single Photon Emission Computed Tomography）やポジトロン断層撮影装置（ＰＥＴ：Positron Emission Tomography）等の核医学検査装置を用いて体外から検出することにより得られる画像を元に、疾患の有無や病変の位置などを解析する手法をいう。【０００３】
放射性医薬品は、特定の臓器、組織、或いは細胞に特異的に集積する性質を有する化合物に放射性同位体（ＲＩ）を結合させたものを所定の溶媒に溶解した溶液から成り、ＳＰＥＣＴでは、シングルフォトンを放出するＲＩ（123Ｉ、99mＴｃ等）を結合させた化合物が、ＰＥＴではポジトロンを放出するＲＩ（11Ｃ、13Ｎ、15Ｏ、18Ｆ等）を結合させた化合物が、それぞれ用いられる。放射性医薬品の原料となるＲＩは、原子炉やサイクロトロン（粒子加速器）等のＲＩ製造施設で製造される。【０００４】
被検体の体内に注入された放射性医薬品は、その化合物の性質に従って体内を移動し、特定の臓器に集積する。したがって、被検体に放射性医薬品を注入し、所定時間が経過した後の体内（の放射性医薬品）から放出される放射線を測定することにより、放射性医薬品の体内での分布状態を表す画像（断面画像）が得られ、その断面画像から、体内の機能状態や病変の位置等、疾患の診断に関する情報を取得することができる。【０００５】
核医学検査では身体への放射線の影響を抑えるため、放射性医薬品には放射能の半減期が比較的短いＲＩが使用される。例えば、ＳＰＥＣＴで使用されるテクネチウム99m（99mＴｃ）、ヨウ素123（123Ｉ）はそれぞれ半減期が６時間、１３．３時間であり、ＰＥＴで使用されるフッ素18（18Ｆ）や炭素11（11Ｃ）の半減期はそれぞれ１１０分、２０分である。ＲＩが製造されてから短時間で放射性医薬品に含まれるＲＩが減少するため、放射性医薬品（或いはＲＩ）が製造されてから核医学検査を実施するまでの時間をできるだけ短くする必要がある。【０００６】
放射性医薬品の製造会社では、核医学検査装置を備える施設（検査施設）からの注文に応じて放射性医薬品を製造し、該検査施設に提供する。検査施設からの注文には、放射性医薬品の使用日、使用場所、使用量、及び使用ＲＩに関する情報が添付されるようになっており、医薬品製造会社は、これらの情報とＲＩの放射能の半減期に基づいて放射性医薬品の合成量（ＲＩの生成量）や、ＲＩの生成開始時刻、放射性医薬品の製造開始時刻、医薬品の配送時間等のスケジュールを決定し、これにしたがって放射性医薬品を製造し、提供している（特許文献１）。
【先行技術文献】
【特許文献】
【０００７】
【特許文献１】特開2003-185749号公報
【発明の概要】
【発明が解決しようとする課題】
【０００８】
上記のようにして医薬品製造会社から検査施設に提供された放射性医薬品は直ちに使用されることが好ましいが、実際には、放射性医薬品が検査施設に提供されてから被検体に注入されるまでの時間や、被検体に放射性医薬品が注入されてから核医学検査が実施されるまでの時間、或いは核医学検査を実施している時間にはばらつきがある。【０００９】
放射性医薬品の放射能は、時間が経過するにつれて低下する。特に、放射性医薬品に使用されるＲＩは放射能の半減期が短いため、短時間で放射能が大きく低下する。被検体の体内に存在する放射性医薬品の放射能が低いと、核医学検査装置で取得される画像の画質が悪くなる。【００１０】
そこで、放射性医薬品が検査施設に提供されてから被検体に注入されるまでの時間が予定よりも長くなってしまった場合、或いは、核医学検査装置による放射線の検出に時間がかかることが予想される場合には、放射性医薬品の注入量を増やすことで放射能の低下分を補っている。しかしながら、放射性医薬品の注入量を増やした場合にその増加量が適正であるか否かを判断することは難しく、場合によっては、注入量を増やした結果、被検体の被曝線量が過剰になってしまうという問題があった。【００１１】
本発明が解決しようとする課題は、核医学検査において被検体に注入される放射性医薬品の放射能の正確な値を把握できるようにすることである。
【課題を解決するための手段】
【００１２】
上記課題を解決するために成された本発明は、放射性医薬品を製造する医薬品製造施設から提供された放射性医薬品を被検体に注入し、前記放射性医薬品が注入された被検体から放射される放射線を検出して画像データを生成する撮影装置を有する核医学検査施設において、前記被検体に注入された放射性医薬品の放射能を管理する放射能管理システムであって、
放射性医薬品に用いられる複数種の放射性同位体について、それぞれの放射能の半減期を記憶している第１記憶部と、
前記医薬品製造施設から前記核医学検査施設に提供された放射性医薬品に付されている、該放射性医薬品の製造日時、該放射性医薬品に用いられている放射性同位体の種類及び前記放射性医薬品の製造時における放射能の値を含む放射性医薬品情報が記録された記録媒体から前記放射性医薬品情報を読み取る読取部と、
前記読取部が読み取った前記放射性医薬品情報を保存する第２記憶部と、
現在日時を計時する計時手段と、
被検体に前記放射性医薬品が注入された時点を設定するための注入時点設定部と、
前記注入時点設定部により設定された時点の日時を前記計時手段から取得する注入日時取得部と、
前記第１記憶部に記憶されている放射能の半減期、前記第２記憶部に保存された前記放射性医薬品情報、及び前記注入日時取得部が取得した注入日時に基づいて、前記被検体に注入された前記放射性医薬品の放射能の値を算出する演算部と
を備えることを特徴とする。【００１３】
前記医薬品製造施設は、少なくとも放射性医薬品の製造装置を備えていれば良く、原子炉やサイクロトロン（粒子加速器）などの放射性同位体（ＲＩ）を製造する装置を備えているか否かは問わない。ＲＩ製造装置を備えていない場合は、ＲＩ製造装置を備えた施設（ＲＩ製造施設）からＲＩを購入し、これを使って放射性医薬品を製造することになる。
また、核医学検査施設とは、病院や診療所などの医療機関、及び大学や研究所等の研究機関を指す。核医学検査施設が備える撮影装置としては、ＳＰＥＣＴ装置やＰＥＴ装置、ＰＥＴ／ＣＴ（Computed Tomography）装置等が挙げられる。【００１４】
上記放射能管理システムにおいては、医薬品製造施設から核医学検査施設に放射性医薬品が提供されると、読取部は、該放射性医薬品に付されている記録媒体から放射性医薬品情報を読み取り、第２記憶部がこれを保存する。例えば放射性医薬品が収容されたシリンジやバイアル（瓶）等の容器に、放射性医薬品情報を表す文字、ＱＲコード（登録商標）等の二次元コード、又はバーコード（一次元コード）が印刷されている場合、或いは、放射性医薬品情報を表す文字等が印刷されたシールが貼り付けられている場合は、シリンジ及び容器が記録媒体となる。この場合は、OCR（Optical Character Recognition/Reader）装置、ＱＲコードリーダ、又はバーコードリーダが読取部として機能する。【００１５】
放射性医薬品情報が第２記憶部に保存されると、続いて、注入日時取得部は、注入時点設定部により設定された、被検体に放射性医薬品が注入された時点の日時を計時手段から取得する。【００１６】
医薬品製造施設で製造された放射性医薬品は、シリンジやバイアルに入った状態で核医学検査施設に提供される。シリンジに入った放射性医薬品は該シリンジから被検体に注入され、バイアルに入った放射性医薬品はシリンジに移された後、該シリンジから被検体に注入される。医師や放射線検査技師等の作業者の被曝を軽減するため、通常、タングステン製シールド又は鉛製シールドが装着されたシリンジが使用される。【００１７】
作業者が手動でシリンジを操作して放射性医薬品を被検体に注入する場合は、注入作業を行った直後、又は行う直前に、作業者自身が注入時点設定部により注入時点を設定する。一方、シリンジを自動で操作して放射性医薬品を被検体に注入する注入装置が用いられる場合は、注入装置が注入動作を行ったことに基づき注入時点設定部は注入時点を設定すると良い。例えば注入時点設定部が、前記注入装置に対して被検体への放射性医薬品の注入動作の開始を指示する開始信号を出力する注入指示部を含み、該注入指示部が前記開始信号を出力した時点を注入時点として設定するように構成することができる。また、例えば注入装置に被検体への放射性医薬品の注入動作を開始させるための開始ボタンを該注入装置自身が備える場合、前記開始ボタンが押圧されると注入装置が開始信号を注入時点設定部に送信するとともに、注入時点設定部が、注入装置から開始信号を受信するように構成し、該開始信号を受信した時点を注入時点として設定するように構成することができる。【００１８】
なお、被検体に放射性医薬品を注入した時点としては、注入を開始した時点、注入を終了した時点、注入を開始してから所定の時間が経過した時点（典型的には開始から終了までの中間時点）が挙げられる。【００１９】
被検体に対する放射性医薬品の投与が完了すると、演算部は、前記第１記憶部に記憶されている放射能の半減期、前記第２記憶部に保存された前記放射性医薬品情報、及び前記注入日時取得部が取得した注入日時とに基づいて、前記被検体に注入された前記放射性医薬品の放射能の値を算出する。
具体的には、演算部は、放射性医薬品情報に含まれる放射性同位体（ＲＩ）の種類から、そのＲＩの放射能の半減期を第１記憶部から取得する。また、放射性医薬品情報に含まれる放射性医薬品の製造日時と注入日時取得部が取得した注入日時から、放射性医薬品の製造日時から注入日時までの間の時間（経過時間）を算出する。【００２０】
医薬品製造施設から核医学検査施設に提供された放射性医薬品の製造時における放射性医薬品の放射能の値をＲ０（単位：Bq）、前記経過時間をｔ、放射性医薬品に用いられている放射性同位元素（ＲＩ）の半減期をＴ、被検体に注入された放射性医薬品の放射能の値をＲ１とすると、演算部は、以下の式（１）からＲ１を算出する。
Ｒ１＝Ｒ０×（１／２）（t/T）                 （１）【００２１】
上記式（１）は、核医学検査施設に提供された放射性医薬品の全量が被検体に注入されることになっている場合の放射能の値の算出式である。核医学検査施設に提供された放射性医薬品の一部が被検体に注入される場合は、放射性医薬品の放射能の値Ｒ１は以下の式（２）から求められる。式（２）において、Ｌ０は、核医学検査施設に提供された放射性医薬品の量、Ｌtは被検体に注入された放射性医薬品の量を表す。
Ｒ１＝Ｒ０×（１／２）（t/T）×（Ｌｔ/Ｌ０）    （２）【００２２】
演算部が、被検体に注入された放射線医薬品の放射能の値を、上記式（２）によって算出する場合は、上記放射能管理システムは、さらに、被検体に注入される放射性医薬品の量又は被検体に注入された放射性医薬品の量を設定するための注入量設定部を備えるとともに、前記放射性医薬品情報が、前記放射性医薬品の量を含んでおり、前記演算部が、前記第２記憶部に保存された前記放射性医薬品情報と、前記注入日時取得部が取得した注入日時と、前記注入量設定部が設定した注入量と、前記第１記憶部に記憶されている放射能の半減期とに基づいて、前記被検体に注入された前記放射性医薬品の放射能の値を算出することが好ましい。【００２３】
作業者がシリンジを操作して放射性医薬品を被検体に注入する構成においては、注入量設定部は例えばテンキーを備え、該テンキーを操作して注入量を設定するように構成することができる。
注入装置がシリンジを操作して放射性医薬品を被検体に注入する構成においては、注入量設定部が注入量を設定するためのテンキーを備える構成とすることもできるが、該注入装置が注入した量を検出する検出部を備え、該検出部の検出結果に基づき注入量設定部が注入量を設定するように構成することができる。
注入量設定部が、放射性医薬品を注入する直前又は注入した直後に注入量を設定する構成の場合は、該注入量設定部が注入量を設定した時点を注入時点として注入量設定部が設定しても良い。【００２４】
また、上記放射能管理システムにおいては、さらに、前記撮影装置が動作を開始した日時又は終了した日時を含む検査情報を、該撮影装置から取得する検査情報取得部を備え、
前記演算部が、前記検査情報取得部が取得した検査情報と、前記注入日時取得部が取得した注入日時と、前記第１記憶部に記憶されている放射能の半減期と、前記被検体に注入された前記放射性医薬品の放射能の値とから、前記撮影装置の動作中において、前記被検体の体内に存在する放射性医薬品の放射能の値を算出することが好ましい。【００２５】
撮影装置が生成する画像データが表す画像の画質は、撮影装置の性能、作業者の技量（撮影条件の設定）、被検体の代謝状況、被検体の体内に注入された放射性医薬品の放射能の値によって決まる。撮影装置の性能や作業者の技量が優れていても、被検体の代謝が悪い場合や被検体の体内の放射性医薬品の放射能の値が低ければ、鮮明な画像を得ることができない。
上記放射能管理システムでは、撮影装置の動作中、つまり、撮影装置が放射線を検出している間における被検体の体内の放射性医薬品の放射能の値が求められるため、撮影装置が生成する画像データが表す画像の画質が悪い場合にその原因を客観的に判断することができる。なお、撮影装置の動作中とは、撮影装置が放射線を検出しているときであればいつでも良く、撮影動作を開始した時点、撮影動作を終了した時点も含む。【００２６】
上記放射方管理システムにおいては、さらに、放射性医薬品が収容された容器の重量を検出するための検出器を備え、
前記放射性医薬品情報が前記容器に収容されている放射性医薬品の量を含んでおり、
前記演算部が、前記第２記憶部に保存された前記放射性医薬品情報と、前記注入日時取得部が取得した注入日時と、前記検出器によって検出された、被検体に放射性医薬品が注入される前の前記容器の重量及び前記被検体に前記放射性医薬品が注入された後の前記容器の重量と、前記第１記憶部に記憶されている放射能の半減期とに基づいて、前記被検体に注入された前記放射性医薬品の放射能の値を算出するように構成すると良い。
上記構成によれば、被検体に注入された放射性医薬品の放射能の値を正確に算出することができる。
【発明の効果】
【００２７】
本発明によれば、核医学検査のために被検体に投与された放射性医薬品の放射能の正確な値を把握することができるため、被検体に投与された放射性医薬品の放射能の値が予定していた放射能の値よりも少なかった場合に、その減少分を補うために必要な放射性医薬品の量を求めることができる。また、求められた量の放射性医薬品を被検体に追加注入することにより、適切な放射能の放射性医薬品を適切な量、被検体に注入した状態で核医学検査を実施することができる。適切な放射能の放射性医薬品を適切な量、被検体に注入した状態で核医学検査を実施した場合、本来ならば撮影装置で撮影された画像は鮮明になるはずであるが、通常、適切な放射能、放射性医薬品の適切な量は被検体の体重に基づき決定され、被検体の代謝状況は考慮されていない。したがって、撮影装置が撮影した画像の画質から、見た目では判断できない被検体の代謝状況を推測することができる（例えば画質が「良い」、「普通」、「悪い」と評価された場合、被検体の代謝状況も「良い」、「普通」、「悪い」と推測することができる）。また、被検体の投与履歴から代謝が良いと推測された場合は、その被検体に適切な放射性医薬品の放射能の値を少なく見積もることができるため、次回検査時からは放射性医薬品の過剰投与を回避できる。
【図面の簡単な説明】
【００２８】
【図１】放射性医薬品の流通システムを示す概略図。
【図２Ａ】ＱＲコードが印刷された放射性医薬品の容器の例を示す図。
【図２Ｂ】ＱＲコードが表す放射性医薬品情報の例。
【図３】本発明に係る放射能管理システムの第１実施形態の概略構成図。
【図４】ＰＥＴ装置の概略的なブロック図。
【図５】注入装置の制御部を中心とする概略的なブロック図。
【図６】放射能管理装置の概略的なブロック図。
【図７】放射能管理装置が備える表示装置の表示画面に注入量が表示された状態を示す図。
【図８】放射能管理装置が備える表示装置の表示画面にＰＥＴ装置の撮影画像が表示された状態を示す図。
【図９】第２実施形態の放射能管理システムで用いられる注入装置の一部の構成を示す概略図。
【図１０】第３実施形態の放射能管理システムで用いられる注入装置の制御部を中心とする概略的なブロック図。
【図１１】放射能管理装置が備える表示装置の表示画面に、容器内の放射性医薬品の放射能の値、及び被検体に注入された放射性医薬品の放射能の値が表示された状態を示す図。
【発明を実施するための形態】
【００２９】
以下、本発明に係る放射能管理システムの実施形態について図面を参照しつつ説明する。
まず、実施形態の説明に先立ち、放射性医薬品の流通システムについて説明する。図１は、放射性医薬品の流通システムを示す概略図である。この図に示すように、放射性医薬品は、放射性同位体を管理する管理機関１と、放射性医薬品を製造する製造会社（放射性医薬品製造施設）２と、核医学検査を実施する核医学検査施設３の間を流通するように構成されている。なお、図示しないが、前記流通システムには、製造会社２や核医学研究施設３で発生した放射性廃棄物を処理する処理施設が含まれる。
【００３０】
日本では、放射性医薬品の流通は、公益社団法人日本アイソトープ協会によって管理されるようになっており、この日本アイソトープ協会が管理機関１に相当する。
核医学検査施設３には、ＳＰＥＣＴ装置やＰＥＴ装置、ＰＥＴ／ＣＴ装置等の核医学検査装置（撮影装置）を備えた病院や診療所等の医療機関、及び研究機関が含まれる。核医学検査施設３は、核医学検査の実施が決まると、その実施条件（実施日時、放射性医薬品の使用量、ＲＩの種類等）に従い管理機関１に放射性医薬品の注文を行う。注文を受けた管理機関１は、その注文内容に従い放射性医薬品の製造を製造会社２に依頼するとともに、その費用を核医学検査施設３に請求する。依頼を受けた製造会社２は、その依頼内容に従い放射性医薬品を製造し、核医学検査施設３に提供する。核医学検査施設３が製造会社２に直接注文することもある。この場合、製造会社２は注文内容を管理機関１に伝えるとともに、注文内容に従い放射性医薬品を製造する。
【００３１】
管理機関１、製造会社２、核医学検査施設３はそれぞれ、ネットワークを介して相互に通信可能に接続された流通用端末１Ａ、２Ａ、３Ａを備えており、これらの端末１Ａ〜３Ａを操作することにより、放射性医薬品の注文、請求、依頼を行う。端末１Ａ〜３Ａは、いわゆるデスクトップ型又はノート型のパーソナルコンピュータ（ＰＣ）でも良く、携帯型端末（いわゆるタブレット形ＰＣ）でも良い。
【００３２】
管理機関１における管理のため、製造会社２で製造された放射性医薬品には、製造会社名、放射性医薬品の分類・製造日時・液量、放射性医薬品に用いられたＲＩの種類、核医学検査施設名、注文番号を含む情報（放射性医薬品情報）を表す記号及び数字、或いはＱＲコード（二次元コード）、バーコード（一次元コード）等が記録された記録媒体が付されている。記録媒体は、放射性医薬品が収容される容器又はシリンジであったり、容器又はシリンジに貼付されたシールであったり、容器又はシリンジに貼付又は埋設されたＩＣチップ（ＲＦタグ）であったりする。なお、放射性医薬品の「液量」が本発明の放射医薬品の「量」に相当する。
【００３３】
例えば、図２Ａは、放射性医薬品が収容される容器５にＱＲコードが印刷されたシール６が貼付されている様子を示す。なお、このシール６には、ＱＲコードの他、製造会社名を示す記号、核医学検査施設を示す文字、製造日時を示す数字も印刷されている。図２Ｂは、ＱＲコードが表す放射性医薬品情報の例を示す。放射性医薬品情報は、シール６に印刷されたＱＲコードをＱＲコードリーダで読み取ることにより取得される。
【００３４】
放射性医薬品の容器等にＱＲコードが印刷されたシールを貼付することは従来から行われていたが、ＱＲコードは専ら管理機関１における放射性医薬品の管理に利用され、核医学検査施設３で使用されることはなかった。本発明に係る放射能管理システムは、このようなＱＲコードを、被検体に注入された放射性医薬品の放射能を管理するために利用したものであり、核医学検査施設３に構築される。
【００３５】
［第１実施形態］
次に、図３〜図８を参照して、第１実施形態の放射能管理システムについて説明する。
［１．放射能管理システムの構成］
図３に示すように、放射能管理システム１００は、核医学検査装置（撮影装置）１０と、被検体に放射性医薬品を注入するための注入装置２０と、放射能管理装置３０と、カルテ管理装置であるＨＩＳ（Hospital Information System）４０と、核医学検査に関する情報を管理する装置であるＲＩＳ（Radiology Information System）５０と、核医学検査装置１０で生成される画像データを管理する装置であるＰＡＣＳ（Picture Archiving and Communication Systems）６０と、画像閲覧装置７０と、プリンタ８０等を備える。詳しくは後述するように、被検体に放射性医薬品を注入する方法には、放射性医薬品が充填されたシリンジを注入装置２０が操作して被検体に注入する方法（自動注入）と、作業者が前記シリンジを操作して被検体に注入する方法がある（手動注入）。
【００３６】
核医学検査装置１０、注入装置２０、放射能管理装置３０、ＨＩＳ４０、ＲＩＳ５０、ＰＡＣＳ６０、画像閲覧装置７０、プリンタ８０は、有線ＬＡＮ又は無線ＬＡＮ等のネットワーク９０を介して接続されている。なお、図３では、放射能管理システム１００は、核医学検査装置１０、注入装置２０、画像閲覧装置７０、及びプリンタ８０をそれぞれ１台ずつ備えているが、いずれも１台に限らず複数台備えていても良い。
【００３７】
核医学検査装置１０及び注入装置２０は、放射能を外部に漏らさない隔壁等を用いて構成された、核医学検査施設３の部屋に設置されている。通常、核医学検査装置１０と注入装置２０は同じ部屋に設置されるが、両装置は別の部屋に設置されていても良い。放射能管理装置３０、ＨＩＳ４０、ＲＩＳ５０、ＰＡＣＳ６０、画像閲覧装置７０、プリンタ８０は、核医学検査施設３の、核医学検査装置１０及び注入装置２０が設置された部屋とは別の部屋に設置されている。放射能管理装置３０、ＨＩＳ４０、ＲＩＳ５０、ＰＡＣＳ６０、画像閲覧装置７０、プリンタ８０は全て同じ部屋に設置されていても良く、１つずつ、又は複数ずつがそれぞれ別の部屋に設置されていても良い。
【００３８】
ＨＩＳ４０は、核医学検査施設３における検査の受付業務及び会計業務等の事務処理システム、電子カルテの管理システム等から構成されている。電子カルテには、カルテＩＤ、被検体ＩＤ、被検体の氏名や性別、年齢、体重などの個人データ、被検体の疾病に関するカルテデータ等のデータが含まれる。
【００３９】
ＲＩＳ５０は、核医学検査を実施するための検査条件データを作成し、管理する。ＲＩＳ５０は、ＨＩＳ４０から電子カルテを取得し、この電子カルテに基づいて検査条件データを作成する。検査条件データには、核医学検査の作業ＩＤ、核医学検査の種別及び核医学検査装置の識別情報、被検体ＩＤ、核医学検査の実施日時（開始及び終了日時）、放射性医薬品の種類及び使用量等のデータが含まれる。上述した流通用端末３Ａは、ＲＩＳ５０から検査条件データを取得し、この検査条件データに基づいて放射性医薬品を注文する。
【００４０】
ＰＡＣＳ６０は、核医学検査装置１０（モダリティ）で生成された画像データをネットワーク９０を通じて受信し、保管・管理する。
【００４１】
ＨＩＳ４０、ＲＩＳ５０、ＰＡＣＳ６０は、それぞれ専用のコンピュータプログラムが実装されたコンピュータから構成されている。
また、ＨＩＳ４０、ＲＩＳ５０、ＰＡＣＳ６０、核医学検査装置１０、注入装置２０、及び放射能管理装置３０の間の通信プロトコルは、典型的にはＤＩＣＯＭ（digital imaging and communication in medicine）が挙げられるが、これに限定されるものではない。
【００４２】
［２．核医学検査装置の構成］
核医学検査装置１０は、病院や診療所などの医療施設において主に疾病の診断に用いられる装置であり、ＰＥＴ装置、ＳＰＥＣＴ装置、ＰＥＴ／ＣＴ装置等の撮影装置が例示される。以下では、核医学検査装置１０としてＰＥＴ装置を用いた場合を例に挙げて説明するため、核医学検査装置１０をＰＥＴ装置に読み替えることとする。
【００４３】
図４に示すように、ＰＥＴ装置１０は、ＰＥＴスキャナ１１と、該ＰＥＴスキャナ１１の検出結果に基づき画像データを生成する画像生成部１２と、撮影条件の設定や各コマンドの入力を行うための操作部１３と、画像生成部１２が生成した画像データその他のデータを出力する出力部１４と、画像データが表す画像等を表示するための表示部１５等を備えている。
【００４４】
ＰＥＴスキャナ１１は、被検体の体内に注入された放射性医薬品に含まれる放射性同位体から放射される放射線を検出する。
画像生成部１２はコンピュータをベースとして構成されており、ＣＰＵ（Central processing unit）１２１、メモリ１２２、ＨＤＤ（Hard disc drive）１２３等の基本的なハードウェアから構成されている。ＣＰＵ１２１は信号伝送路を介して各ハードウェア構成要素に相互接続されている。ＣＰＵ１２１は、操作部１３を介した操作に応じてメモリ１２２に記憶されているプログラムを実行する。これによって、ＣＰＵ１２１は、スキャン制御部１２６、画像データ処理部１２７、表示制御部１２８等として機能する。
【００４５】
画像データ処理部１２７では、ＰＥＴスキャナ１１から供給される信号を処理することにより被検体の体内の画像（内部画像）データを生成する。画像データ処理部１２７で生成された画像データには、テキストデータ（スキャン動作時のスキャナ１１の設定条件、放射線量のデータ、被検体ＩＤ、ＰＥＴ装置１０の識別情報（メーカー名、型番等）、ＰＥＴ装置１０で使用されているソフトウェア名、該ソフトウェアのバージョン等）が付帯され、検査によって得られた情報（検査情報）として出力部１４からＰＡＣＳ６０に送信されるほか、放射能管理装置３０にも送信される。
【００４６】
［３．注入装置の構成］
図３及び図５に示すように、注入装置２０は、シリンジ２１を装着するための２個の凹部２０１を有する注入ヘッド２００と、該凹部２０１に装着されるシリンジ２１のピストンをそれぞれ独立に押圧するピストン駆動機構２１０と、制御パネル２２０とを備えている。
制御パネル２２０には、ピストン駆動機構２１０を制御する制御部２２１、操作部２２２、表示部２２３、カメラ２２４、及び通信Ｉ／Ｆ２２５が設けられている。
【００４７】
制御部２２１は、操作部２２２が操作されて注入量が設定され、注入動作の開始が指示されると、ピストン駆動機構２１０を駆動する。これに応じて、ピストン駆動機構２１０によって各シリンジ２１のピストンが押されて、凹部２０１にセットされたシリンジ２１内の放射性医薬品が被検体に注入される。
【００４８】
カメラ２２４は、製造会社２から提供された放射性医薬品が収容されている容器５に付されたＱＲコードを撮影するためのものである。容器５がシリンジの場合は、ＱＲコードをカメラ２２４で撮影した後、そのシリンジが注入装置２０にセットされる。容器５がバイアルの場合は、ＱＲコードをカメラ２２４で撮影した後、バイアル内の放射性医薬品の一部又は全部をシリンジに移し、該シリンジが注入装置２０にセットされる。カメラ２２４によって撮影された画像のデータは、通信Ｉ／Ｆ２２５を通じて放射能管理装置３０に送信される。
【００４９】
［４．放射能管理装置の構成］
図６に示すように、放射能管理装置３０は、ＣＰＵ３０１と、主記憶装置３０２と、記憶部３５０を含む補助記憶装置３０３と、通信Ｉ／Ｆ３０４と、入力装置（キーボード、マウス（ポインティングデバイス）、タッチパネルなど）３０５と、表示装置３０６、カメラ３０７、タイムサーバ（計時手段）３０８とを備えている。放射能管理装置３０は、補助記憶装置３０３に記憶（インストール）された各種処理プログラムをＣＰＵ３０１が主記憶装置３０２にロードして実行することによって、演算処理部３２０の情報処理機能、データ受付部３３０のデータ受付機能、ＱＲコードリーダ３４０の読み取り機能を実現する。記憶部３５０には、各種ＲＩの半減期に関する情報が記憶されている。
【００５０】
データ受付部３３０は、通信Ｉ／Ｆ３０４を通じてＰＥＴ装置１０及び注入装置２０から送られてくるデータ、或いは、入力装置３０５を操作することにより入力されたデータを受け付ける。ＱＲコードリーダ３４０は、カメラ３０７で撮影されたＱＲコードの画像又は注入装置２０から送られてきたＱＲコードの画像からＱＲコードが表す放射性医薬品情報を読み取る。したがって、ＱＲコードリーダ３４０、カメラ３０７、カメラ２２４が本発明の読取部を構成する。ＱＲコードリーダ３４０が読み取った放射性医薬品情報のデータ、データ受付部３３０が受け付けたデータは、それぞれ記憶部３５０に保存される。記憶部３５０では、各データに含まれる被検体ＩＤ、核医学検査の作業ＩＤ、核医学検査装置（ＰＥＴ装置）、放射性医薬品の製品コード等に基づき、同じ核医学検査に関連するデータが紐付けられる。
【００５１】
演算処理部３２０は、データ受付部３３０が放射性医薬品の注入開始信号を受け付けると、受け付けた時点を注入時点として設定すると共に、その日時をタイムサーバ３０８から取得し、注入日時として記憶部３５０に記憶する。そして、入力装置３０５が操作されて放射能の値の演算処理の開始が指示されると、演算処理部３２０は記憶部３５０に保管されているデータを抽出し、被検体に注入された放射性医薬品の放射能の値を算出する。したがって、記憶部３５０が本発明の第１記憶部、第２記憶部に相当し、演算処理部３２０が注入時点設定部、注入日時取得部、演算部に相当する。
【００５２】
演算処理部３２０が算出した結果は、表示装置３０６に表示される。また、この結果は、通信Ｉ／Ｆ３０４によってＨＩＳ４０に送られるようにしても良い。
【００５３】
［５．核医学検査の実行手順］  次に、上記ＰＥＴ装置１０を使って核医学検査を実行する手順について説明する。まずは、作業者が放射性医薬品を手動注入する場合について説明する。
［５．１  被検体への放射性医薬品の注入（手動）］
ＲＩＳ５０において核医学検査を実施するための検査条件データが作成されると、核医学検査の作業者は、その検査条件に従い放射性医薬品を用意する。そして、作業者は放射能管理装置３０の入力装置３０５を操作して、放射性医薬品が収容されている容器５に付されたＱＲコードをカメラ３０７で撮影する。カメラ３０７で撮影されたＱＲコードの画像のデータは、ＱＲコードリーダ３４０に送られ、そのＱＲコードが表す放射性医薬品情報が読み取られる。読み取られた放射性医薬品情報は記憶部３５０に保存される。
【００５４】
続いて、容器５がシリンジの場合は作業者がそのシリンジを操作して放射性医薬品を被検体に注入する。また、容器５がバイアルの場合は、作業者が放射性医薬品をシリンジに移し替えた後、そのシリンジを操作して放射性医薬品を被検体に注入する。そして、被検体への放射性医薬品の注入が終了すると、作業者は入力装置３０５（テンキー）を操作して、注入量を入力する。つまり、この例では、入力装置３０５が本発明の注入量設定部として機能する。入力された注入量データはデータ受付部３３０に受け付けられて、記憶部３５０に保存される。また、データ受付部３３０が注入量データを受け付けると、演算処理部３２０はその受け付けた日時をタイムサーバ３０８から取得し、注入日時として記憶部３５０に保存する。記憶部３５０に保存されている種々のデータが表す情報は表示装置３０６に表示させることができる。例えば図７は、放射性医薬品の注入量である「３５（ｍｌ）」が入力された時点における表示装置３０６の表示画面３０６Ａを示している。この表示画面３０６Ａには、注入量の表示領域３０６Ｂの他に、テンキー３０６Ｃ、カメラ３０７で撮影されたＱＲコードの画像表示領域３０６Ｄ、各被検体に関する情報（検査条件、被検体の身体的特徴等）を表示する表示領域３０６Ｅ等が含まれる。タイムサーバ３０８から取得された注入日時は表示領域３０６Ｅに表示される。
【００５５】
［５．２  被検体に注入された放射性医薬品の放射能値の算出］
次に、入力装置３０５が操作されて放射能の演算処理の開始が指示されると、演算処理部３２０は記憶部３５０に保管されているデータ、具体的には、注入日時、放射性医薬品の注入量、該放射性医薬品に使用されているＲＩの半減期、放射性医薬品の製造日時及び製造時の放射能の値、放射性医薬品の液量のデータを抽出し、被検体に注入された放射性医薬品の放射能の値を算出する。放射能の値の算出は、上述した式（２）を使用することができる。算出された放射能の値は記憶部３５０に保存される。算出された放射能の値は、所定の操作により表示画面３０６Ａに表示される。
【００５６】
［５．３  被検体への放射性医薬品の注入（自動）］
注入装置２０により放射性医薬品を自動注入する場合の手順は以下の通りである。まず、放射性医薬品が収容されている容器５に付されたＱＲコードをカメラ２２４で撮影する。カメラ２２４で撮影されたＱＲコードの画像のデータは、メモリ２２１ａに保存される。続いて、容器５がシリンジの場合はそのシリンジを、容器５がバイアルの場合は放射性医薬品をシリンジに移し替えた後、そのシリンジを注入装置２０にセットする。そして、操作部２２２を操作して放射性医薬品の注入量を設定し、注入動作の開始を指示する。設定された注入量はメモリ２２１ａに保存される。また、制御部２２１は、設定された注入量だけ放射性医薬品が被検体に注入されるよう、ピストン駆動機構２１０を動作させる。
【００５７】
操作部２２２の操作により注入動作の開始が指示されると、その操作信号（注入開始信号）、メモリ２２１ａに保存されたＱＲコードの画像データ及び注入量データが放射能管理装置３０に送信され、データ受付部３３０に受け付けられる。データ受付部３３０が注入開始信号を受け取ると、演算処理部３２０は、受け付けた時点の日時をタイムサーバ３０８から取得し、その日時を注入日時として記憶部３５０に記憶する。また、データ受付部３３０で受け付けられたＱＲコードの画像データはＱＲコードリーダ３４０に送られ、そのＱＲコードが表す放射性医薬品情報が読み取られる。なお、放射能の演算処理は、手動注入のときと同じであるため、説明を省略する。
【００５８】
手動注入及び自動注入のいずれの場合も、被検体への放射性医薬品の注入が完了すると、ＰＥＴ装置１０を用いた核医学検査が行われる。ＰＥＴ装置１０では、被検体の体内画像の撮影が開始されてから終了するまでの期間内、ＰＥＴスキャナ１１によって被検体が走査され、被検体の様々な部位から放射される放射線が検出される。ＰＥＴスキャナ１１の検出結果は画像生成部１２によって処理され、複数枚の体内画像の画像データが作成される。ＰＥＴ装置１０による体内画像の撮影が終了すると、画像データ、撮影開始日時及び撮影終了日時のデータを含む検査情報のデータが放射能管理装置３０に送られ、データ受付部３３０で受け付けられる。つまり、この例では、データ受付部３３０が本発明の検査情報取得部として機能する。データ受付部３３０で受け付けられた検査情報データは記憶部３５０に保存される。なお、検査情報データは、ＰＡＣＳ６０にも送られる。
【００５９】
放射能管理装置３０では、入力装置３０５が操作されて放射能の演算処理の開始が指示されると、演算処理部３２０は記憶部３５０に保存されているデータ、具体的には、注入日時、撮影開始日時及び撮影終了日時、該放射性医薬品に使用されているＲＩの半減期、及び注入時の放射能のデータを抽出し、ＰＥＴ装置１０の撮影動作中の所定の時点における放射性医薬品の放射能の値を算出する。所定の時点は、撮影開始日時と撮影終了日時から求められ、例えば撮影開始日時から撮影終了日時の中間時点とすることができる。また、撮影開始日時、或いは撮影開始日時から一定の時間が経過した時点を所定の時点としてもよく、撮影終了日時、あるいは撮影終了日時よりも一定の時間だけ遡った時点を所定の時点としても良い。放射能の値の算出は上述した式（１）を使用することができる。算出された放射能の値は記憶部３５０に保存される。算出された放射能の値は、所定の操作により表示画面３０６Ａに表示される。
【００６０】
放射能管理装置３０では、入力装置３０５を操作することにより、ＰＥＴ装置１０で撮影された体内画像を表示装置３０６に表示させることができる。図８は、４枚の横断画像と１枚の縦断画像が表示画面３０６Ａに表示されている例を示している。この表示画面３０６Ａには、画像の表示領域３０６Ｆの他、画質を評価するための指標を表示する表示領域３０６Ｇ、各被検体に関する情報（被検体のＩＤ、被検体の身体的特徴等）を表示する表示領域３０６Ｈ等が含まれる。
【００６１】
表示領域３０６Ｇには、ＮＥＣ（noise equivalent count）patient等の画質評価指標の他、記憶部３５０に保存された、撮影動作中における被検体内の放射能の値も表示される。したがって、作業者は、この表示画面３０６Ａに表示された撮影画像、被検体の身体的特徴、画質評価指標、撮影動作中における被検体内の放射能の値等から、被検体に対する放射性医薬品の注入量の妥当性を判断することができる。
【００６２】
一般的に放射性医薬品の注入量は被検体の体重から決定される。したがって、体重から決定された量の放射性医薬品が被検体に注入され、予定通りにＰＥＴ装置１０による撮影が行われた場合は、撮影動作中における被検体内の放射能は適正値になる。また、被検体に代謝異常が見られる場合は、被検体に注入された放射性医薬品が被検体の体内に一様に分布せず、画質が悪化する。
【００６３】
このことから、撮影動作中における被検体内の放射能が適正値よりも小さい場合には、予定していた撮影日時よりも遅れて撮影が開始されたか、もしくは誤った量の放射性医薬品が被検体に注入されたものと判断することができる。また、放射能が適正値よりも小さい状況であるにもかかわらず撮影画像の画質が良かった場合には、被検体の代謝状況が良好であると推測でき、放射性医薬品の注入量を減らしても撮影画像の画質が低下することはないと判断することができる。また、内部画像の画質が悪く、且つ、放射能が適正値である場合には、画質が悪い原因は撮影条件の設定が適正でなかったため、或いは被検体の代謝状況が悪いと推測することができる。さらに、例えば内部画像の画質評価指標が基準値を上回っている場合には、放射性医薬品の注入量が過剰であったと判断することができる。
【００６４】
このように、上記放射能管理システムでは、ＰＥＴ装置１０で撮影した時点における被検体の体内の放射能の値が分かるため、ＰＥＴ装置１０による撮影画像の画質から、被検体に注入された放射性医薬品の量が適切であるか否かを客観的に判断することが可能となる。
【００６５】
［第２実施形態］
図９を参照して、第２実施形態の放射能管理システムについて説明する。なお、第１実施形態と同一又は対応する部分には同一の符号を付し、適宜説明を省略する。この実施形態では、放射能管理システム１００は、注入装置２０に代えてＱＲコードスキャナ２６０を備えており、注入装置２０は放射能管理システム１００とは独立した、いわゆるスタンドアローン型の装置として存在する。
【００６６】
注入装置２０は、表示部と操作部が一体化されたタッチパネル２３０と、プリンタ２５０を備えている。タッチパネル２３０は、操作領域２４１と表示領域２４２を有する画面２４０を備えている。操作領域２４１の内部には、画面のタッチ操作を検出する検出器（図示せず）が設けられており、操作領域２４１に表示される操作ボタンの画像を作業者がタッチ操作することに応じてそのタッチ信号を制御部２２１に出力する。表示領域２４２は、被検体に関する情報（被検体情報）等を表示する情報表示領域２４３と、放射性医薬品が収容されている容器５に印刷されているＱＲコードの画像を表示する画像表示領域２４４を有している。
【００６７】
ＱＲコードスキャナ２６０は、一般的に市販されているハンディタイプのスキャナであり、有線ＬＡＮ又は無線ＬＡＮ（例えばＢｌｕｅｔｏｏｔｈ（登録商標））等のネットワークを介して放射能管理装置３０に接続されている。ＱＲコードスキャナ２６０は、本発明の読取部に相当する。
【００６８】
この実施形態では、注入装置２０により放射性医薬品を自動注入する前に、まず、作業者がタッチパネル２３０の操作領域２４１を操作して、被検体情報を入力する。注入装置２０は、被検体情報が入力されると、それをメモリ２２１ａに保存するとともに、情報表示領域２４３に表示する。
【００６９】
また、作業者は、放射性医薬品が収容されている容器５に付されたＱＲコードを注入装置２０のカメラ２２４で撮影する。カメラ２２４で撮影されたＱＲコードの画像データはメモリ２２１ａに保存されるとともに、該ＱＲコードの画像は画像表示領域２４４に表示される。次に作業者はＱＲコードスキャナ２６０を用いて、画像表示領域２４４に表示されたＱＲコードの画像を読みとる。ＱＲコードスキャナ２６０はＱＲコードの画像を読み取ると、そのＱＲコードが表す放射性医薬品情報を読み取り、放射能管理装置３０に送信する。また、ＱＲコードスキャナ２６０は、読み取った放射性医薬品情報のデータをプリンタ２５０に送る。これにより、プリンタ２５０は、放射性医薬品情報を用紙２５１に印刷し、出力する。図９に放射性医薬品情報が印刷された用紙２５１の一例を示す。
【００７０】
上述した通り、作業者による被検体情報の入力作業、ＱＲコードスキャナ２６０を用いたＱＲコードの読み取り作業が終わると、作業はタッチパネル２３０を操作して、放射性医薬品の注入動作の開始を指示する。これによりピストン駆動機構２１０が動作して、設定された注入量だけ放射性医薬品が被検体に注入される。
【００７１】
放射能管理装置３０のデータ受付部３３０は、ＱＲコードスキャナ２６０から送られてきた放射性医薬品情報のデータを受け付けて、記憶部３５０に保存する。また、データ受け付け部３３０がＱＲコードスキャナ２６０から放射性医薬品情報のデータを受け付けると、演算処理部３２０は、受け付けた時点の日時をタイムサーバ３０８から取得し、その日時を注入日時として記憶部３５０に記憶する。
【００７２】
その後、放射能管理装置３０において、第１実施形態と同様に、被検体に注入された放射性医薬品の放射能の演算処理が実行される。また、ＰＥＴ装置１０を用いた核医学検査が行われ、ＰＥＴ装置１０の撮影動作中の所定の時点における放射性医薬品の放射能の演算処理が実行される。
【００７３】
このように、第２実施形態では、放射能管理システム１００がＱＲコードスキャナ２６０を備えており、該ＱＲコードスキャナ２６０を放射能管理装置３０と無線ＬＡＮ等で接続した。このため、第１実施形態と異なり、注入装置２０は通信Ｉ／Ｆを備えていない。また、本実施形態では、第１実施形態の放射能管理装置３０が備えていたＱＲコードリーダ３４０を省略することができる。
【００７４】
［第３実施形態］
図１０及び図１１を参照して、第３実施形態の放射能管理システムについて説明する。なお、第１実施形態と同一又は対応する部分には同一の符号を付し、適宜説明を省略する。この実施形態では、注入装置２０が重量センサ２２６を備えている。重量センサ２２６は、注入装置２０にセットされたシリンジの重量を検出するためのものである。シリンジには放射性医薬品が収容されているため、重量センサ２２６はシリンジと共に放射性医薬品の重量を検出する。
【００７５】
この実施形態では、注入装置２０にシリンジがセットされると、その重量が重量センサ２２６によって検出される。検出された重量（注入前重量）はメモリ２２１ａに保存される。その後、操作部２２２の操作により注入動作の開始が指示されると、ピストン駆動機構２１０が動作し、被検体に対する放射性医薬品の注入動作が実行される。そして、設定された注入量の放射性医薬品が被検体に注入されると、ピストン駆動機構２１０の動作が停止し、放射性医薬品の注入動作が終了する。このタイミングで、注入装置２０にセットされているシリンジの重量が再び重量センサ２２６によって検出される。検出された重量（注入後重量）はメモリ２２１ａに保存される。
【００７６】
操作部２２２が操作されてメモリ２２１ａに保存されているデータの送信が指示されると、制御部２２１はメモリ２２１ａから注入前重量及び注入後重量のデータを読み出し、通信Ｉ／Ｆ２２５を通じて前記データを放射能管理装置３０に送信する。注入装置２０から放射能管理装置３０に送られてきた注入前重量及び注入後重量のデータはデータ受付部３３０に受け付けられ、記憶部３５０に記憶される。
【００７７】
放射能管理装置３０では、入力装置３０５が操作されて放射能の演算処理の開始が指示されると、演算処理部３２０は記憶部３５０に保管されているデータ、具体的には、放射性医薬品の注入前重量及び注入後重量、注入日時、該放射性医薬品に使用されているＲＩの半減期、放射性医薬品の製造日時及び製造時の放射能の値、放射性医薬品の液量のデータが抽出され、被検体に注入された放射性医薬品の放射能の値を算出する。また、演算処理部３２０が算出した結果は、表示装置３０６に表示される。
【００７８】
図１１は、演算処理部３２０が算出した結果が表示された表示装置３０６の表示画面３０６Ａの一例を示している。この表示画面３０６Ａには、放射性医薬品情報、放射性医薬品の注入前重量及び注入後重量、算出結果（被検体に注入された放射性医薬品の放射能の値）が表示された領域３１６Ａ〜３１６Ｄが表示されている。なお、図１１は、２個の放射性医薬品の放射性医薬品情報、放射性医薬品の注入前重量及び注入後重量、算出結果の表示領域３１６Ａ〜３１６Ｄが上下２段に表示されている例を示しているが、表示画面３０６Ａに表示される放射性医薬品の数は１個でも良く、３個以上でも良い。
【００７９】
本実施形態によれば、被検体に実際に注入された放射性医薬品の放射能の値を求めることができる。
【００８０】
［変形例］
なお、本発明は上記した実施形態に限らず、以下のような変更が可能である。
上記第１及び第２実施形態では、被検体に注入された放射性医薬品の放射能の値（注入された時点における放射能の値）、及び撮影動作中における放射能の値の両方を求めるようにしたが、放射性医薬品の注入時点における放射能の値だけを求めるようにしても良い。通常は、放射性医薬品の注入が終了すると直ちにＰＥＴ装置１０による撮影が開始されるため、注入時点における放射能の値を、撮影動作中における放射能の値とみなしても問題はない。
【００８１】
上記第１及び第２実施形態では、ＱＲコードが印刷された容器又はシリンジ、或いはＱＲコードが印刷されたシールを、放射性医薬品情報が記録された記録媒体として説明したが、ＱＲコードが印刷されたタグ（札）を容器又はシリンジに取り付けても良い。この場合は、タグが記録媒体となる。また、放射性医薬品情報が記録されたＩＣチップ（ＲＦタグ）を記録媒体として用いることも可能である。この場合は、放射能管理システムは、読取部としてのＩＣタグリーダ（ＲＦＩＤリーダ）を備える。
【００８２】
上記第１実施形態では、ＰＥＴ装置１０から放射能管理装置３０に送信される検査情報データにＰＥＴ装置１０による撮影開始日時のデータを含めたが、ＰＥＴ装置１０から放射能管理装置３０に撮影開始信号が送信されるように構成しても良い。この構成では、撮影開始信号を受信した放射能管理装置３０は、その撮影開始信号をデータ受付部３３０で受け付けるとともに、演算処理部３２０がデータ受付部３３０で受け付けた時点の日時をタイムサーバ３０８から取得し、その日時を撮影開始日時として記憶部３５０に記憶する。
【００８３】
上記第１実施形態では、各種ＲＩの放射能の半減期に関する情報及び放射性医薬品情報を共通の記憶部３５０に保存するものとしたが、それぞれ別の記憶部（第１記憶部及び第２記憶部）に保存するようにしても良い。
【００８４】
上記第１実施形態では、注入装置２０の操作部２２２の操作により、注入装置２０自身の注入動作の開始が指示され、注入開始信号が放射能管理装置３０に送信されるように構成したが、放射能管理装置３０の入力装置３０５の操作により注入開始信号が注入装置２０に送信され、その注入開始信号を受信した注入装置２０が注入動作を開始するようにしても良い。この構成では、演算処理部３２０は、注入開始信号を送信した時点の日時をタイムサーバ３０８から取得し、その日時を注入日時として記憶部３５０に記憶する。
【００８５】
上記第２実施形態では、作業者がタッチパネル２３０を操作して被検体情報を入力するようにしたが、これに代えて、ＨＩＳ４０から電子カルテを受信し、その電子カルテから被検体情報を取得しても良い。また、ＨＩＳ４０から電子カルテを受信する構成に代えて、ＨＩＳ４０から電子カルテを取得したＲＩＳ５０や放射能管理装置３０から該電子カルテを受信しても良い。この構成では、注入装置２０は、ＨＩＳ４０、ＲＩＳ５０、又は放射能管理装置３０と無線ＬＡＮ等のネットワークで接続されている。
【００８６】
上記第２実施形態において、注入装置２０に、Ｂｌｕｅｔｏｏｔｈ等の無線通信機能を備えたＱＲコードスキャナが含まれている場合には、このＱＲコードスキャナを放射能管理システム１００の読取部として利用することができる。この構成では、ＱＲコードスキャナが、容器５に付されたＱＲコードを直接読み取り、該ＱＲコードが表す放射性医薬品情報を放射能管理装置３０に送信する。
【００８７】
上記第２実施形態では、注入装置２０がタッチパネルとプリンタを備えることとして説明したが、放射能管理システム１００が、注入装置２０の周辺機器としてのタッチパネル及びプリンタを備え、該タッチパネルがＱＲコードの画像を撮影するカメラを有するようにしてもよい。この構成では、タッチパネル及びプリンタは注入装置２０には含まれないことになる。
【００８８】
タッチパネル及びプリンタが注入装置２０に含まれる場合、含まれない場合のいずれにおいても、作業者がタッチパネルを操作して放射性医薬品情報を入力するようにしても良い。また、例えば核医学検査施設３が放射性医薬品製造施設を保有している場合、放射性医薬品は搬送チューブ等を介して注入装置２０に直接提供され、容器には収容されない。このような場合は、放射性医薬品製造施設から送られてくる放射性医薬品情報をタッチパネルが受信するようにしても良い。タッチパネルは、入力された放射性医薬品情報、又は受信した放射性医薬品情報をＱＲコードに変換するツールを備えており、該ツールで変換されたＱＲコードの画像を画像表示領域に表示する。この構成では、タッチパネルが放射性医薬品情報が記録された記録媒体として機能する。
【００８９】
一般的に核医学検査施設ではキュリーメータやドーズキャリブレータと呼ばれる医療用放射能測定器が使用される。この放射能測定器は、容器からシリンジに放射性医薬品が吸引された後の該容器の放射能、シリンジ内の放射性医薬品が被検体に注入された後の該シリンジの放射能等を測定する装置であり、測定した放射能の値を表示するためのディスプレイを備えている。そこで、第２実施形態の注入装置２０に代えて、前記医療用放射能測定器が有するディスプレイに放射性医薬品情報を表すＱＲコードを表示するようにしても良い。
【００９０】
また、前記医療用放射能測定器は通常、Ｂｌｕｅｔｏｏｔｈ等の無線通信機能を有している。そこで、該医療用放射能測定器にＱＲコードの画像を撮影するカメラを設け、該カメラが撮影したＱＲコードの画像を医療用放射能測定器から放射能管理装置に送信するようにしてもよい。
【符号の説明】
【００９１】
１…管理機関
２…製造会社
３…核医学検査施設
１０…核医学検査装置（撮影装置、ＰＥＴ装置）
２０…注入装置
２２４…カメラ
２６０…ＱＲコードスキャナ
３０…放射能管理装置
３０５…入力装置
３０６…表示装置
３０８…タイムサーバ
３２０…演算処理部
３４０…ＱＲコードリーダ
３５０…記憶部
４０…ＨＩＳ
５０…ＲＩＳ
６０…ＰＡＣＳ
９０…ネットワーク
１００…放射能管理システム
【図１】
0006969762.tif 000002
【図２Ａ】
0006969762.tif 000003
【図２Ｂ】
0006969762.tif 000004
【図３】
0006969762.tif 000005
【図４】
0006969762.tif 000006
【図５】
0006969762.tif 000007
【図６】
0006969762.tif 000008
【図７】
0006969762.tif 000009
【図８】
0006969762.tif 000010
【図９】
0006969762.tif 000011
【図１０】
0006969762.tif 000012
【図１１】
0006969762.tif 000013